(57)【要約】【課題】ハーネスを交換する不正行為を防止する。【解決手段】ハーネス側コネクタ３６はコネクタ端子３７とネジ軸３８を備えている。メイン制御基板３２には、コネクタ端子３７と接続されるコネクタ端子４０を有する基板側コネクタ３９と、ネジ軸３８が螺合するネジ穴４１ａを有するネジ軸検出装置４１が設けられている。ネジ軸検出装置４１には、ネジ穴４１ａに差し込まれたネジ軸３８に押圧される押圧スイッチ４２が設けられている。ハーネス３５をメイン制御基板３２から取外すためにネジ軸３８を緩めると、ネジ軸３８が押圧スイッチ４２から離れて異常が検知される。【選択図】図４
2008036319.tif 000002
【特許請求の範囲】
【請求項１】
遊技機の電気回路に設けられたコネクタの接続を監視するコネクタ監視システムにおいて、
回転操作されるネジ軸が設けられた第１コネクタと、
前記第１コネクタと接続される第２コネクタと、
前記第１コネクタと前記第２コネクタとの接続時に前記ネジ軸を螺合させるネジ穴を有し、前記ネジ穴に螺合した前記ネジ軸を検出するネジ軸検出手段と、
前記ネジ軸検出手段によりネジ軸が検出されない時に異常を検知する異常検知手段を備えたことを特徴とするコネクタ監視システム。
【請求項２】
電力供給用のバッテリを有し、前記異常検知手段は、外部電源から遮断された時に前記バッテリからの電力供給を受けて前記ネジ軸の有無を監視することを特徴とする請求項１記載のコネクタ監視システム。
【請求項３】
前記ネジ軸検出手段は、前記ネジ軸の先端部により押圧される押圧スイッチを備えていることを特徴とする請求項１又は２記載のコネクタ監視システム。
【請求項４】
前記異常検知手段により異常が検知された時に、前記第１コネクタと前記第２コネクタとの通信を無効にすることを特徴とする請求項１ないし３のいずれかに記載のコネクタ監視システム。
【請求項５】
前記異常検知手段により異常が検知された時に、異常の発生を報知する報知手段を備えたことを特徴とする請求項１ないし４のいずれかに記載のコネクタ監視システム。
【請求項６】
前記第１コネクタがハーネスに設けられ、前記第２コネクタが回路基板に設けられていることを特徴とする請求項１ないし５のいずれかに記載のコネクタ監視システム。
【発明の詳細な説明】
【技術分野】
【０００１】
本発明は、遊技機に設けられた電気回路のコネクタの接続を監視するコネクタ監視システムに関する。
【背景技術】
【０００２】
パチンコ遊技機やスロットマシン等の遊技機は、遊技を行うためにパチンコ球やメダルを遊技媒体として使用し、遊技を行って所定の入賞条件を満たすと遊技媒体の払い出しを受けることができる。遊技媒体には一定の価値が与えられており、獲得した遊技媒体は種々の景品と交換することができる。遊技機の内部には、遊技の進行を管理する制御回路基板が設けられている。制御回路基板は、遊技のスタート操作や入賞の発生等を検知する検知信号が入力され、これに応じて電子抽選の当否判定信号や遊技媒体の払い出し信号等を出力する。制御回路基板は、遊技媒体の不正な取得を目的とした第三者による改造を防止するために、封印処理された保護ケースに収納されている（例えば、特許文献１参照）。
【０００３】
最近では、制御回路基板を改造する代わりに、制御回路基板と遊技機各部を接続するハーネスを特殊なＩＣチップが埋め込まれた変造ハーネスと交換し、電気信号の書き換え等を行うことで不正に遊技媒体を取得する行為が問題になっている。この不正行為が遊技店の営業中に行われ、周囲に気付かれずにハーネスが交換されてしまうと、不正行為者と一般遊技客とを区別することができなくなり、不正行為の早期の発見が困難になる。
【０００４】
第三者によるハーネスの交換を防止する工夫として、特許文献１に記載された従来技術が知られている。この従来技術では、回路基板を収納するケースにハーネスを通す開口部が設けられ、ケースに収納された回路基板にはハーネスの先端部に設けられたコネクタが接続されている。回路基板に接続されたコネクタは、基板ケースの開口部から押し込まれるストッパ部材により固定される。このストッパ部材には、基板ケースの開口部に進入する時に弾性変形し、基板ケースの開口部を通過すると開口部よりも大きく広がる弾性片が形成されている。ハーネスを引き抜こうとする力が働くと、ハーネスのコネクタがストッパ部材により押さえられ、コネクタに押されたストッパ部材は基板ケースの内壁面に弾性片を押し付ける。ストッパ部材を基板ケースの開口部から引き抜くことはできないため、コネクタを引く抜くことも不可能であり、不正行為の発生を防止できる。
【特許文献１】特開２００５−３２３７２８号公報
【発明の開示】
【発明が解決しようとする課題】
【０００５】
しかしながら、上記従来技術では、第三者によるハーネスの交換を防止するためにハーネスの着脱が全く行えなくなるため、遊技店の従業員が遊技機の清掃やメンテナンスを行う時にハーネスが邪魔になる場合でもこれを退けることができないという不便な欠点がある。
【０００６】
本発明は、上記問題点を考慮してなされたものであり、ハーネスの着脱を可能にしながらもハーネスが不正に交換されてしまうことを防止したコネクタ監視システムを提供することを目的とする。
【課題を解決するための手段】
【０００７】
上記目的を達成するために本発明は、遊技機の電気回路に設けられたコネクタの接続を監視するコネクタ監視システムにおいて、回転操作されるネジ軸が設けられた第１コネクタと、前記第１コネクタと接続される第２コネクタと、前記第１コネクタと前記第２コネクタとの接続時に前記ネジ軸を螺合させるネジ穴を有し、前記ネジ穴に螺合した前記ネジ軸を検出するネジ軸検出手段と、前記ネジ軸検出手段によりネジ軸が検出されない時に異常を検知する異常検知手段を備えたことを特徴とする。
【０００８】
電力を供給するバッテリを有し、前記異常検知手段は、外部電源から遮断された時に前記ネジ軸の有無を監視することを特徴とする。
【０００９】
前記ネジ軸検出手段は、前記ネジ軸の先端部により押圧される押圧スイッチを備えていることを特徴とする。
【００１０】
前記異常検知手段により異常が検知された時に、前記第１コネクタと前記第２コネクタとの通信を無効にすることを特徴とする。
【００１１】
前記異常検知手段により異常が検知された時に、異常の発生を報知する報知手段を備えたことを特徴とする。
【００１２】
前記第１コネクタがハーネスに設けられ、前記第２コネクタが回路基板に設けられていることを特徴とする。
【発明の効果】
【００１３】
本発明によれば、第１コネクタと第２コネクタを接続する時には第１コネクタのネジ軸をネジ軸検出手段のネジ穴に締め込まなければならず、第１コネクタと第２コネクタを取外すときにはネジ軸を緩めてネジ穴から取外す必要があるから、短い時間で第１コネクタと第２コネクタの着脱を行うことが困難になり、周囲に気付かれることなくハーネスを交換する不正行為を防止する効果が得られる。ネジ軸を緩めて第１コネクタを取外そうとする時にネジ軸検出手段によりネジ軸が緩められたことを検出し、異常を検知するから、ハーネスを交換する不正行為を防止する効果がさらに高まる。また、遊技店の従業員が遊技機の清掃やメンテナンス等でハーネスを取外す時はネジ軸を緩めて第１コネクタと第２コネクタを容易に外すことができ、ネジ軸を締め込んで第１コネクタと第２コネクタを容易に取付けることができる。
【００１４】
また、バッテリから電力を供給し、外部電源から遮断された状態でもネジ軸が操作されたか否かを監視するから、営業時間外に不正行為者が遊技店に侵入し、ハーネスを交換したとしても、損害の発生前に不正行為の痕跡を発見できる。
【００１５】
また、異常が検知された時に、第１コネクタと第２コネクタとの通信を無効にするから、物理的に互いのコネクタを接続しても外部から電気信号の入力が行えず、遊技が行えないから、一般の遊技客に紛れて不正行為者が遊技媒体を不正に取得することを防止できる。また、異常が検知された時に異常の発生を報知するから、周囲に気付かれずに不正行為を行うことが不可能になり、不正行為の発生を抑止する効果が得られる。
【００１６】
また、第１コネクタをハーネスの先端部に設け、第２コネクタを回路基板に設けることにより、ハーネス側のコネクタでネジ軸の回転操作を行えるから、回路基板を保護ケースに収納してもネジ軸の回転操作が保護ケースに邪魔されず、ネジ軸が操作し易くなる。
【発明を実施するための最良の形態】
【００１７】
図１において、パチンコ遊技機（遊技機）１０は、その前面に透明なガラス窓１１を有する前面扉１２を備えている。ガラス窓１１の後側には、遊技球が一球ずつ打ち出される遊技領域１３が設けられている。遊技領域１３にはアウト口と複数の入賞口が設けられている。遊技球が入賞口に入賞すると決められた個数の遊技球が賞球として払い出される。
【００１８】
遊技領域１３の中央部には液晶表示装置（報知手段）１４が設けられている。液晶表示装置１４の下方には始動入賞口１５が設けられている。始動入賞口１５に遊技球が入賞すると、賞球の払い出しと乱数を用いた大当たり抽選とが行われる。液晶表示装置１４は、例えば複数の同じ図柄が一列に揃うか否かによって大当たり抽選の結果を表示する。大当たりに当選すると、遊技球が入賞しやすい大入賞口に遊技球を入賞させることができ、多数の遊技球を獲得できる遊技を行える。前面扉１２の上部には、スピーカ（報知手段）１６が設けられている。遊技が行われている間は、大当たりへの期待度を高める演出として、液晶表示装置１４には期待度に応じた演出画像が表示され、スピーカ１６から期待度を高める効果音が発せられる。
【００１９】
ガラス窓１１の下方には、遊技領域１３に打ち出される遊技球を発射装置に供給する供給皿１８が設けられている。供給皿１８の左側には、賞球が払い出される賞球払い出し口１９が設けられている。供給皿１８の右下方には、遊技球を打ち出す際に操作され、遊技球を打ち出す強さを調節するためのハンドル２０が設けられている。
【００２０】
図２において、パチンコ遊技機１０の背面側には、賞球として払い出される遊技球を貯留する貯留皿２４が設けられている。貯留皿２４に貯留された遊技球は、賞球通路２５から賞球払い出し装置２６に送られる。賞球通路２５の下方には、液晶表示装置１４を保護するための保護カバー２７が設けられている。保護カバー２７の下方には、メイン基板収納ケース３０とサブ基板収納ケース３１が設けられている。
【００２１】
メイン基板収納ケース３０には、電子抽選や賞球の払い出し等を管理し、遊技の流れを制御する制御回路が構成されたメイン制御基板３２が収納されている。サブ基板収納ケース３１には、液晶表示装置１４に表示する演出用のグラフィック画像を記憶したメモリや、画像再生用のＩＣチップ等を有するサブ制御基板３３が収納されている。メイン制御基板３２には、始動入賞口１５とその他の入賞口に遊技球が入賞した際に入賞検知信号を入力するためのハーネス３５が接続されている。
【００２２】
図３において、ハーネス３５の先端部にはハーネス側コネクタ（第１コネクタ）３６が設けられている。ハーネス側コネクタ３６は、雄型のコネクタ端子３７と回転自在な２本のネジ軸３８とを有する。コネクタ端子３７は、メイン制御基板３２に設けられた基板側コネクタ（第２コネクタ）３９の雌型のコネクタ端子４０に接続される。ネジ軸３８は、回転操作を行うためのつまみ部３８ａとネジ部３８ｂとを有する。メイン制御基板３２には２つのネジ軸検出装置４１が設けられている。ネジ軸検出装置４１には、ネジ部３８ｂが螺合するネジ穴４１ａが設けられている。コネクタ端子３７とコネクタ端子４０とが接続される時に、ネジ部３８ｂがネジ穴４１ａに締め込まれることでハーネス側コネクタ３６はメイン制御基板３２に固定される。
【００２３】
図４において、ネジ軸検出装置４１のネジ穴４１ａの内部の下底面には、押圧スイッチ４２が設けられている。押圧スイッチ４２は、ネジ軸３８がネジ軸検出装置４１のネジ穴４１ａに規定の位置まで締め込まれたか否かを検出するためのものである。ネジ部３８ｂがネジ穴４１ａに締め込まれると、ネジ部３８ｂの先端部により押圧スイッチ４２が押圧され、ネジ軸３８が検出される。
【００２４】
図５において、メイン制御基板３２には、遊技プログラムが記憶されたＲＯＭ４５と、遊技プログラムを実行してパチンコ遊技機１０の電気的な動作を制御するメインＣＰＵ４６と、遊技プログラムを実行した際に生じる演算データ等を記憶するＲＡＭ４７と、大当たり抽選を行う大当たり抽選部４８とが設けられている。入賞口センサ５０は、遊技領域１３に設けられた各入賞口に設けられている。遊技球が各入賞口に入賞すると、メイン制御基板３２のメインＣＰＵ４６に入賞口の種類に応じた入賞検知信号が、ハーネス３５を介してメイン制御基板３２に送られる。メインＣＰＵ４６は、入賞検知信号に基づいて入賞処理を実行する。入賞処理としては、賞球払い出し装置２６に所定数の賞球の払い出しを行う処理、始動入賞口１５に遊技球が入賞した時に大当たり抽選部４８に大当たり抽選を実行させる処理等がある。
【００２５】
押圧スイッチ４２は、ネジ穴４１ａに螺合したネジ軸３８に押圧された時にメインＣＰＵ４６にネジ軸検出信号を入力する。メインＣＰＵ４６は、ネジ軸検出信号の入力を受け、始動入賞口１５等の入賞口からの入賞検知信号を有効な信号として入賞処理を実行する。また、メインＣＰＵ４６は、ネジ軸検出信号が入力されない時は、始動入賞口１５等の入賞口からの入賞検知信号を無効な信号として入賞処理を行わない。
【００２６】
サブＣＰＵ５２と、演出データＲＯＭ５３はサブ制御基板３３に設けられている。演出データＲＯＭ５３には、液晶表示装置１４に表示する演出用画像の画像データや、スピーカ１６から発する効果音の音声データ等の演出データと、大当たり抽選が行われた時にその当否の結果に応じて演出の種類を決定する演出決定プログラムが記憶されている。サブＣＰＵ５２は、遊技球が始動入賞口１５に入賞したことを検知した時にメインＣＰＵ４６から出力される演出決定信号を受けて演出決定プログラムを実行し、決定された演出の種類に応じて画像データと音声データを液晶表示装置１４とスピーカ１６にそれぞれ出力する。
【００２７】
バッテリ５６は、パチンコ遊技機１０の主電源がオンのときに充電され、パチンコ遊技機１０の主電源がオフの時にはメイン制御基板３２に設けられているメインＣＰＵ４６、ＲＯＭ４５、ＲＡＭ４７、ネジ軸検出装置４１の押圧スイッチ４２に電力を供給する。バッテリ５６は、パチンコ遊技機１０の主電源がオフの時でもネジ軸検出信号に基づいてコネクタ端子３７を監視するために設けられている。
【００２８】
演出データＲＯＭ５３には、パチンコ遊技機１０に異常が発生した場合に、液晶表示装置１４に表示する異常画像の画像データと、スピーカ１６から発せられる警告音の音声データが記憶されている。サブＣＰＵ５２は、メインＣＰＵ４６から異常信号を受信した時に、異常画像と警告音のデータを読み出し、液晶表示装置１４とスピーカ１６を用いて異常発生を報知する。
【００２９】
次に、ハーネス３５の着脱時におけるメインＣＰＵ４６の動作について説明する。図６において、ハーネス３５がメイン制御基板３２から取り外されている状態では、ネジ軸検出装置４１の押圧スイッチ４２が押圧されていないので、メインＣＰＵ４６にネジ軸検出信号は送られない。メインＣＰＵ４６は、ネジ軸検出信号が受信できず、異常を検知する。メインＣＰＵ４６は、パチンコ遊技機１０の主電源がオンであるか否かを確認し、主電源がオンである場合にはサブＣＰＵ５２に異常報知信号を送る。主電源がオフである場合には、メインＣＰＵ４６はＲＡＭ４７に異常を検知したことを示す履歴情報を記憶させる。メインＣＰＵ４６は、主電源がオンになるまで待機し、主電源がオンされた後にＲＡＭ４７に記憶された異常検知を示す履歴情報に基づいてサブＣＰＵ５２に異常報知信号を送る。メインＣＰＵ４６は、サブＣＰＵ５２に異常報知信号を送ると入賞検知信号を無効化し、入賞検知信号を受信しても賞球の払い出しや大当たり抽選等の入賞処理を行わない。
【００３０】
サブＣＰＵ５２は、液晶表示装置１４に異常報知画像を表示させ、スピーカ１６に警告音を発生させて異常を報知する。また、メインＣＰＵ４６は入賞検知信号を無効化し、入賞検知信号を受信しても賞球の払い出しや大当たり抽選等の入賞処理を行わない。異常の報知は３分間等の一定時間は少なくとも継続される。これは、ハーネス３５をメイン制御基板３２に取付けると同時に報知を停止すると、異常の発生が十分に知れ渡らないことがあるためである。なお、３分間等の一定時間の報知が行われた後は、コネクタ端子３７が取付けられると同時に報知が停止する。
【００３１】
ハーネス３５をメイン制御基板３２に取付けるには、コネクタ端子３７をコネクタ端子４０に接続し、ネジ軸３８を回転操作してネジ部３８ｂをネジ軸検出装置４１のネジ穴４１ａに締め込む。ネジ部３８ｂを最後まで締め込むと、ネジ部３８ｂは押圧スイッチ４２に到達し、押圧スイッチ４２を押圧する。押圧スイッチ４２は、メインＣＰＵ４６にネジ軸検出信号を送る。２本のネジ軸３８が最後まで締め込まれてメインＣＰＵ４６に２つの押圧スイッチ４２からネジ軸検出信号が送られると、メインＣＰＵ４６は、異常発生の報知時間が一定時間を経過しているか否かを判定する。メインＣＰＵ４６は、一定時間が経過したと判定されるとサブＣＰＵ５２に異常解除信号を送る。一定時間が経過していなければこの時間が経過するまで異常発生の報知を継続する。
【００３２】
メインＣＰＵ４６がサブＣＰＵ５２に異常解除信号を送ると、サブＣＰＵ５２は液晶表示装置１４の異常報知画像の表示やスピーカ１６からの警告音の発生を中止し、報知を停止する。メインＣＰＵ４６は入賞検知信号を有効化し、入賞検知信号の受信時に賞球の払い出しや大当たり抽選を行わせ、パチンコ遊技機１０を遊技可能な状態にする。
【００３３】
ハーネス３５がメイン制御基板３２に適正に取付けられ、異常の報知が解除されると、メインＣＰＵ４６は押圧スイッチ４２からのネジ軸検出信号に基づいてネジ軸３８の監視を開始する。ハーネス３５をメイン制御基板３２から取外すためには、ネジ軸３８を緩めてネジ軸検出装置４１のネジ穴４１ａからネジ軸３８を取外さなければならない。ネジ軸３８を緩めると、ネジ部３８ｂの先端部が押圧スイッチ４２から離れる。ネジ部３８ｂが押圧スイッチ４２から離れると、メインＣＰＵ４６にネジ軸検出信号が送られず、メインＣＰＵ４６は異常を検知する。
【００３４】
ハーネス３５をメイン制御基板３２から不正に取外すと、ネジ軸３８を緩めた時点で異常が報知されるので、ネジ軸３８の取り外し、ハーネス３５の交換、ネジ軸の取付けの全てが終了し、さらに一定時間が経過しないと異常の報知が終了しないので、必然的にハーネス３５の交換に要する時間が増し、異常が報知される時間が長いので、遊技店の営業中に周囲に気付かれないようにハーネス３５を交換することは困難になる。また、遊技店の営業終了後にパチンコ遊技機１０の主電源がオフにされた状態でハーネス３５が交換されても、遊技店の営業が開始する前に主電源がオンにされると異常が報知されるので、変造ハーネスを用いて一般の遊技客を装って遊技媒体を不正に取得する行為を未然に防止できる。その一方で、ハーネス３５を取り外し、パチンコ遊技機１０に付着した埃や汚れを掃除する場合には、ネジ軸３８を回転操作するだけで容易にハーネス３５の着脱が行えるので、ハーネス３５を退かせば掃除の邪魔になることもない。
【００３５】
なお、本発明は、上述の実施形態のようにパチンコ遊技機に適用することに限定されず、スロットマシン等の他の遊技機に適用することが可能である。また、上記実施形態においては、コネクタ端子４０とネジ軸検出装置４１とが別々にメイン制御基板３２に設けられているが、コネクタ端子４０とネジ軸検出装置４１を一つの部品にしてもよい。ハーネス側コネクタ３６に軸支されるネジ軸３８の数は単数又は複数でよく、ネジ軸３８の数を増やすことでハーネス側コネクタ３６を正常に取付けるための手間を増やし、ハーネス側コネクタ３６の不正交換を抑制することができる。ネジ軸３８を複数設ける場合には、ネジ軸３６を取付ける順番を予め定めておき、順番通りに取付けられなかった場合に異常が検知されるようにしてもよい。また、ネジ穴４１ａに螺合させるネジ軸３８の長さを長くすることで必要とされる回転操作の量を増やし、ハーネス側コネクタ３６を正常に取付けるための手間を増やすことでハーネス側コネクタ３６の不正交換を抑制することができる。ネジ軸検出装置４１は、ネジ軸３８によって押圧される押圧スイッチを設けることに限られず、光センサ等の他のセンサを設けても良い。また、異常が検知された時は、メイン制御基板３２に入力される電気信号に基づく動作を取り消すことに限られず、電気信号の伝達を遮断するようにしてもよい。また、本発明をパチンコ遊技機に適用した場合は、ネジ軸検出装置４１によってネジ軸３８が検出されなかった場合に、遊技球の発射を行えなくすることで遊技そのものを行えなくしてもよい。
【図面の簡単な説明】
【００３６】
【図１】パチンコ遊技機の正面側斜視図である。
【図２】パチンコ遊技機の背面側斜視図である。
【図３】回路基板とハーネスの斜視図である。
【図４】コネクタの斜視図である。
【図５】ネジ軸検出装置の断面図である。
【図６】パチンコ遊技機の概略的な電気的構成を示すブロック図である。
【符号の説明】
【００３７】
１０  パチンコ遊技機（遊技機）
１３  遊技領域
１４  液晶表示装置（報知手段）
１５  始動入賞口
１６  スピーカ（報知手段）
２６  賞球払い出し装置
３０  メイン基板収納ケース
３１  サブ基板収納ケース
３２  メイン制御基板
３３  サブ制御基板
３５  ハーネス
３６  ハーネス側コネクタ（第１コネクタ）
３７  コネクタ端子
３８  ネジ軸
３８ａ  つまみ部
３８ｂ  ネジ部
３９  基板側コネクタ（第２コネクタ）
４０  コネクタ端子
４１  ネジ軸検出装置（ネジ軸検出手段）
４１ａ  ネジ穴
４２  押圧スイッチ
４５  ＲＯＭ
４６  メインＣＰＵ（異常検知手段）
４７  ＲＡＭ
４８  大当たり抽選部
５０  入賞口センサ
５２  サブＣＰＵ
５３  演出データＲＯＭ
５６  バッテリ
【図１】
2008036319.tif 000003
【図２】
2008036319.tif 000004
【図３】
2008036319.tif 000005
【図４】
2008036319.tif 000006
【図５】
2008036319.tif 000007
【図６】
2008036319.tif 000008